(57)【特許請求の範囲】
【請求項１】
環境に関する複数の測定項目を測定する複数のセンサを含むセンサ部と、上記センサ部からの各センサ出力を演算処理して測定データを生成、記憶するデータロガー部と、受信手段とを備えた環境測定装置と、
上記環境測定装置から所定距離離れた場所において測定開始信号を上記受信手段へ送信する測定開始スイッチおよび測定の残り時間を表示する表示部を備えた送信手段とからなり、
上記受信手段は通信インターフェースであり、
上記送信手段は携帯機器であり、
上記携帯機器は、さらに前記環境測定装置の測定結果の評価に関連する情報も送信する
ことを特徴とする環境測定システム。
【請求項２】
前記携帯機器は、前記環境測定装置に接続するための通信インターフェースと、全体動作を制御する制御手段と、表示器及びタッチセンサを含むタッチパネル式表示部とを備え、上記タッチセンサにより前記測定結果の評価に関連する情報を入力することを特徴とする請求項１記載の環境測定システム。
【請求項３】
前記携帯機器は、モバイルコンピュータであることを特徴とする請求項１または２記載の環境測定システム。
【発明の詳細な説明】
【０００１】
【発明の属する技術分野】
本発明は、ビル内の空気環境等を測定する環境測定システムに関する。
【０００２】
【従来の技術】
従来、ビル衛生管理法に基づく、ビル内の空気環境測定項目として浮遊粉塵、一酸化炭素、二酸化炭素、温度相対湿度及び気流等を測定する環境測定技術として、たとえば、各センサ部とＣＰＵ等を用いた処理部とキーボード及び表示部を備えた一体型の環境測定装置（特開昭６１−２８４６５９号公報参照）や、上述の処理部としてハンドヘルドコンピュータを用いた環境測定方法（特開昭６３−７９０１２号公報参照）がある。
【０００３】
【発明が解決しようとする課題】
しかしながら、上述の従来技術は、いずれもキーボード等の操作部が測定装置と一体になっており、測定作業者が測定装置のそばで測定ポイント等の入力操作をした後、測定をスタートさせるシステムである。この場合、測定までの操作は１分以内で終了できるが、測定作業者の呼気が測定装置近傍に拡散し、一時的に炭酸ガス濃度の高い状況となる可能性があり、炭酸ガスの測定値に誤差を招く結果となる場合があった。同様に、測定作業者の移動により、浮遊粉塵量への影響や気流の乱れ等が生じるおそれがあった。
【０００４】
また、従来の測定装置では、各センサの測定高さが決められているため、測定作業者に合わせて測定装置の表示部の高さや角度を調整することもできなかった。
【０００５】
また、ビル内の空気環境測定を実施する場合、極力周囲に気を配る必要がある。たとえば、従来の測定装置では、測定終了をブザー音で知らせるものがあるが、このブザー音に注意する必要があり、ビル内の執務者の業務に影響をきたすことなく測定を実施しなければならなかった。
【０００６】
上述の課題に鑑みて、本発明は、測定作業者の呼気等の影響を受けずに正確な測定を行うことができる環境測定システムを提供することを目的とする。
【０００７】
【課題を解決するための手段】
上記した目的に鑑みて、請求項１記載の発明の環境測定システムは、環境に関する複数の測定項目を測定する複数のセンサ２ａ，２ｂ，２ｃ，２ｄ，２ｅを含むセンサ部２と、上記センサ部２からの各センサ出力を演算処理して測定データを生成、記憶するデータロガー部３と、受信手段４とを備えた環境測定装置１と、上記環境測定装置１から所定距離離れた場所において測定開始信号を上記受信手段４へ送信する測定開始スイッチ１５ｂおよび測定の残り時間を表示する表示部１５ａを備えた送信手段１１とからなり、上記受信手段４は通信インターフェースであり、上記送信手段１１は携帯機器であり、上記携帯機器は、さらに前記環境測定装置１の測定結果の評価に関連する情報も送信することを特徴とする。
【０００８】
請求項１記載の発明によれば、環境測定装置１は、環境に関する複数の測定項目を測定する複数のセンサ２ａ，２ｂ，２ｃ，２ｄ，２ｅを含むセンサ部２と、センサ部２からの各センサ出力を演算処理して測定データを生成、記憶するデータロガー部３と、受信手段４とを備えている。送信手段１１は、環境測定装置１から所定距離離れた場所において測定開始信号を受信手段４へ送信する測定開始スイッチ１５ｂおよび測定の残り時間を表示する表示部１５ａを備えている。受信手段４は通信インターフェースであり、送信手段１１は携帯機器であり、携帯機器は、さらに環境測定装置１の測定結果の評価に関連する情報も送信する。それにより、環境測定装置から離れた場所で測定を開始させることができるので、炭酸ガスや浮遊粉塵量への影響を回避し、正確な測定が可能となる。
【００１４】
また、環境測定装置から離れた場所で測定を開始させることができるので、炭酸ガスや浮遊粉塵量への影響を回避し、正確な測定が可能となる。また、環境測定装置１の測定結果の評価に関連する情報を送信できるので、より効率良く測定作業を行うことができる。
【００１５】
また、請求２記載の発明は、請求項１記載の発明の環境測定システムにおいて、
前記携帯機器１１は、前記環境測定装置１に接続するための通信インターフェース１２と、全体動作を制御する制御手段１３と、表示器１５ａ及びタッチセンサ１５ｂを含むタッチパネル式表示部１５とを備え、上記タッチセンサ１５ｂにより測定結果の評価に関連する情報を入力することを特徴とする。
【００１６】
請求項２記載の発明によれば、携帯機器１１は、環境測定装置１に接続するための通信インターフェース１２と、全体動作を制御する制御手段１３と、表示器１５ａ及びタッチセンサ１５ｂを含むタッチパネル式表示部１５とを備え、タッチセンサにより測定結果の評価に関連する情報を入力する。それにより、測定開始信号と測定結果の評価に関連する情報との入力作業を、環境測定装置から離れた位置でタッチパネル式表示部へのタッチにより簡単に行うことができるため、炭酸ガスや浮遊粉塵量への影響を回避し、正確な測定が可能となる。また、環境測定装置の測定中にも、測定結果の評価に関連する情報の入力がタッチパネル式表示部へのタッチにより可能なため、より効率良く測定作業をすることができる。
【００１７】
また、請求項３記載の発明は、請求項１または２記載の発明の環境測定システムにおいて、前記携帯機器１１は、モバイルコンピュータであることを特徴とする。
【００１８】
請求項３記載の発明によれば、携帯機器１１は、モバイルコンピュータである。それにより、環境測定装置から離れて、携帯しているモバイルコンピュータで環境測定装置から離れた後に測定を開始させると共に、測定結果の評価に必要な情報の入力作業を行うことができるので、炭酸ガスや浮遊粉塵量への影響を回避し、正確な測定が可能となる。
【００１９】
【発明の実施の形態】
以下、本発明による環境測定システムの実施の形態について図面を参照して説明するが、まず、本発明の環境測定システムの主旨を理解するのに役立つ参考例の環境測定システムについて説明する。
【００２０】
図１は、参考例の環境測定システムを示す概略構成図である。図１において、環境測定システムは、環境測定装置１と、送信手段としてのリモコン送信機１０とから構成される。
【００２１】
環境測定装置１は、測定対象となる建築物、たとえばビル内の空気環境を測定すべき場所に配置され、ビル衛生管理法に基づく、ビル内の空気環境測定項目として浮遊粉塵、一酸化炭素、二酸化炭素、温度相対湿度及び気流等を測定する。
【００２２】
リモコン送信機１０は、たとえば赤外線を利用して、環境測定装置１の測定開始信号を含むリモコン信号を送信するためのものであり、測定開始スイッチ１０ａと表示部１０ｂとを備えている。
【００２３】
環境測定装置１は、受信手段としてのリモコン信号受信部９を備えており、リモコン送信機１０から送信されるリモコン信号を受信し、リモコン信号に含まれる測定開始信号により自動的に測定を開始することができる。
【００２４】
次に図２は、図１の環境測定システムのブロック図を示す。
【００２５】
環境測定装置１は、センサ部２、データロガー部３、キー入力部５、電源部６、ＡＣプラグ７、バッテリ８及びリモコン信号受信部９からなる。
【００２６】
センサ部２は、空気環境の物理データを測定するセンサとして、たとえば、塵埃の濃度を測定するための粉塵計２ａ、一酸化炭素濃度を測定するためのＣＯ計２ｂ、二酸化炭素濃度を測定するためのＣＯ2計２ｃ、温度相対湿度を測定するための温湿度計２ｄ、風速を測定するための風速計２ｅを含む。なお、センサ部２は、これらのセンサのうちの少なくとも１つを備えても良いし、またはこれらのセンサに追加して他の測定項目を測定するための他のセンサを設けても良い。
【００２７】
データロガー部３は、ＣＰＵ３ａ及びメモリ３ｂとを備え、センサ部２、リモコン信号受信部９、キー入力部５及び電源部６と接続されている。
【００２８】
ＣＰＵ３ａは、メモリ３ｂに記憶されている制御プログラムにしたがって環境測定装置１の全体動作を制御すると共に、センサ部２の各センサ出力を演算処理して測定データを生成する。すなわち、ＣＰＵ３ａは、センサ部２の各センサ（すなわち粉塵計２ａ、ＣＯ計２ｂ、ＣＯ2 計２ｃ、温湿度計２ｄ、風速計２ｅ）毎のルックアップテーブルまたは換算式をメモリ３ｂに予め記憶させておき、必要に応じて、メモリ３ｂから呼び出すことによって、各物理量測定データ（すなわち、粉塵濃度データ、一酸化炭素濃度データ、二酸化炭素濃度データ、温度相対湿度データ、または風速（もしくは気流）データ）に換算する演算処理を実行する。
【００２９】
メモリ３ｂは、ＲＯＭ、ＲＡＭ、ＥＥＰＲＯＭ等の半導体記憶デバイスまたはこれらの組合せからなり、制御プログラムと、ＣＰＵ３ａで生成された測定データとを記憶する。
【００３０】
リモコン送信機１０は、測定開始スイッチ１０ａと、ＬＥＤ（発光ダイオード）等からなる表示部１０ｂと、ＣＰＵ１０ｃと、リモコン信号送信部１０ｄとからなる。
【００３１】
次に、上述の構成の環境測定システムの動作を説明する。
【００３２】
まず、測定作業者は、環境測定装置１をワゴン等（図示しない）により測定ポイントへ移動した後、ポイントデータ（すなわち、測定ポイントを特定するためのデータ）等をキー入力部５で入力し、測定ポイントから、炭酸ガスや浮遊粉塵の測定に対して自身の呼気や移動による影響を与えない所定距離離れた場所まで移動する。次に、測定作業者は、リモコン送信機１０を携帯し、測定開始スイッチ１０ａをオン操作する。それにより、ＣＰＵ１０ｃの制御の下にリモコン信号送信部機１０ｄより、測定開始信号を含むリモコン信号が送信される。
【００３３】
送信された測定開始信号を含むリモコン信号は、環境測定装置１のリモコン信号受信部９で受信され、データロガー部３に供給される。データロガー部３のＣＰＵ３ａは、リモコン信号に含まれる測定開始信号により、センサ部２の各センサ（すなわち、（すなわち粉塵計２ａ、ＣＯ計２ｂ、ＣＯ2計２ｃ、温湿度計２ｄ、風速計２ｅ）を起動し、測定作業を開始させる。それにより、各種の空気環境物理データの多点測定を一度に実行することができる。また、各種の空気環境物理データのうち、選択した１つまたはいくつかのみを測定することもできる。
【００３４】
データロガー部３のＣＰＵ３ａは、センサ部２の各センサからのセンサ出力を演算処理して、測定データを生成し、メモリ３ｂに記憶させる。
【００３５】
一方、リモコン送信機１０において、表示部１０ｂが、ＣＰＵ１０ｃの制御により、測定開始スイッチ１０ａのオン操作と同時に点灯し、測定時間（たとえば、１分）の経過後消灯する。
【００３６】
次に、上述の動作を図３に示すフローチャートを用いて説明する。
【００３７】
まず、環境測定装置１の処理について説明すると、電源がオンされ（ステップＳ１）、初期暖機が行われる（ステップＳ２）。次に、測定情報がキー入力部５より入力され（ステップＳ３）、測定待機状態になる（ステップＳ４）。次に、待機中にリモコン送信機１０から送信された測定開始信号を含むリモコン信号をリモコン信号受信部９が受信すると、測定処理に入る（ステップＳ５）。次に、測定時間Ｔ１（たとえば、１分間）をカウントするためのＴ１タイマ（ＣＰＵ１３に内蔵されており、ここでは図示しない）がスタートする（ステップＳ６）。
【００３８】
次に、ＣＰＵ３ａは、センサ部２の各センサ、すなわち、粉塵計２ａ、ＣＯ計２ｂ、ＣＯ2計２ｃ、温湿度計２ｄ及び風速計２ｅを起動し、粉塵、ＣＯ、ＣＯ2、温度、湿度、気流を測定する（ステップＳ７）。
【００３９】
次に、ＣＰＵ３ａは、Ｔ１タイマがタイムアップしたか否かを判定する（ステップＳ８）。その答がノーならば、Ｔ１タイマはタイムカウントを継続する。その答がイエスならば、ＣＰＵ３ａは、センサ部２からのセンサ出力を演算処理して測定データを生成し、生成された測定データをメモり３ｂに保管し（ステップＳ９）、測定が終了する（ステップＳ１０）。測定終了後、ステップＳ３に戻り、次の測定作業が繰り返される。
【００４０】
一方、リモコン送信機１０の処理について説明すると、測定開始スイッチ１０ａがオン操作されると（ステップＳ２１）、測定開始信号を含むリモコン信号が送信される。測定開始スイッチ１０ａのオンと同時に、ＣＰＵ１０ｃの制御により、表示部１０ｂが点灯し、測定時間（たとえば、１分）の間点灯継続する（ステップＳ２２）。次に、測定時間経過後、表示部１０ｂは消灯し（ステップＳ２３）、処理を終了する。
【００４１】
以上のように、測定作業者は、リモコン送信機１０を使用することにより、環境測定装置１の測定ポイントから、炭酸ガスや浮遊粉塵の測定に対して自身の呼気や移動による影響を与えない所定距離離れた場所で、環境測定装置１の測定を開始させることができる。したがって、測定作業による呼気や移動による環境測定装置１の炭酸ガス（二酸化炭素）や浮遊粉塵の測定への影響を回避し、正確な測定が可能となる。
【００４２】
また、測定作業者は、測定中、環境測定装置１の測定に影響を与えないように離れた場所に待機（待機場所は、ビル内の執務者の業務に影響を及ぼさないように気を配る必要がある）していても、表示部１０ｂの点灯、消灯を確認することにより、測定が終了したことを、従来のブザー音による聴覚的なものではなく視覚的に知ることができるので、ビル内の執務者の業務に影響をきたすことなく測定を実施することができる。
【００４３】
次に、図４は、本発明による環境測定システムの実施の形態を示す概略構成図である。図４において、環境測定システムは、環境測定装置１と、送信手段としての携帯機器１１とから構成される。
【００４４】
環境測定装置１は、測定対象となる建築物、たとえばビル内の空気環境を測定すべき場所に配置され、ビル衛生管理法に基づく、ビル内の空気環境測定項目として浮遊粉塵、一酸化炭素、二酸化炭素、温度相対湿度及び気流等を測定する。
【００４５】
携帯機器１１は、たとえば携帯型コンピュータであり、モバイルコンピュータ、ハンドヘルドコンピュータ、ノートパソコン等の持ち運び可能な機器を含む。携帯機器１１は、ＬＣＤ（液晶ディスプレイ）等からなる表示器１５ａと、表示器１５ａ上に配置されるシート上の透明なタッチセンサ１５ｂとを含むタッチパネル式表示部１５を備えている。携帯機器１１は、タッチパネル式表示部１５の表示器１５ａ及びタッチセンサ１５ｂの画面上に現れるボタンアイコンにタッチすることにより、環境測定装置１の測定開始信号と測定結果の評価に関連する情報を入力することができる。
【００４６】
環境測定装置１と携帯機器１１は、ＩｒＤＡ（infraRed Data Association ）等による光通信（無線通信）またはＲＳ２３２Ｃ等の有線通信に対応する通信インターフェースにより接続される。携帯機器１１は、上述のようにして入力される環境測定装置１の測定開始信号と測定結果の評価に関連する情報とを、通信インターフェースを介して環境測定装置１に送信する。環境測定装置１は、形態機器１１から送信された測定開始信号により測定を開始すると共に、測定結果の評価に関連する情報を記憶する。
【００４７】
次に図５は、図４の環境測定システムのブロック図を示す。
【００４８】
環境測定装置１は、センサ部２、データロガー部３、受信手段としての通信インターフェース４、キー入力部５、電源部６、ＡＣプラグ７及びバッテリ８からなる。
【００４９】
センサ部２は、空気環境の物理データを測定するセンサとして、たとえば、塵埃の濃度を測定するための粉塵計２ａ、一酸化炭素濃度を測定するためのＣＯ計２ｂ、二酸化炭素濃度を測定するためのＣＯ2計２ｃ、温度相対湿度を測定するための温湿度計２ｄ、風速を測定するための風速計２ｅを含む。なお、センサ部２は、これらのセンサのうちの少なくとも１つを備えても良いし、またはこれらのセンサに追加して他の測定項目を測定するための他のセンサを設けても良い。
【００５０】
データロガー部３は、ＣＰＵ３ａ及びメモリ３ｂとを備え、センサ部２、キー入力部５、電源部６、及びＩｒＤＡまたはＲＳ２３２Ｃ等の通信インターフェース９と接続されている。
【００５１】
ＣＰＵ３ａは、メモリ３ｂに記憶されている制御プログラムにしたがって環境測定装置１の全体動作を制御すると共に、センサ部２の各センサ出力を演算処理して測定データを生成する。すなわち、ＣＰＵ３ａは、センサ部２の各センサ（すなわち粉塵計２ａ、ＣＯ計２ｂ、ＣＯ2計２ｃ、温湿度計２ｄ、風速計２ｅ）毎のルックアップテーブルまたは換算式をメモリ３ｂに予め記憶させておき、必要に応じて、メモリ３ｂから呼び出すことによって、各物理量測定データ（すなわち、粉塵濃度データ、一酸化炭素濃度データ、二酸化炭素濃度データ、温度相対湿度データ、または風速（もしくは気流）データ）に換算する演算処理を実行する。
【００５２】
メモリ３ｂは、ＲＯＭ、ＲＡＭ、ＥＥＰＲＯＭ等の半導体記憶デバイスまたはこれらの組合せからなり、制御プログラムと、ＣＰＵ３ａで生成された測定データとを記憶する。
【００５３】
携帯機器１１は、ＩｒＤＡまたはＲＳ２３２Ｃ等の通信インターフェース１２と、制御手段としてのＣＰＵ１３と、メモリ１４と、ＬＣＤ（液晶ディスプレイ）等からなる表示器１５ａ及び表示器１５ａ上に配置されるシート上の透明なタッチセンサ１５ｂを含むタッチパネル式表示部１５と、キー入力部１６とからなる。
【００５４】
次に、上述の構成の環境測定システムの動作を説明する。
【００５５】
まず、測定作業者は、環境測定装置１をワゴン等（図示しない）により測定ポイントへ移動させる。次に、測定作業者は、携帯機器１１を持ち、測定ポイントから、炭酸ガスや浮遊粉塵の測定に対して自身の呼気や移動による影響を与えない所定距離離れた場所まで移動する。
【００５６】
次に、測定作業者は、タッチパネル式表示部１５の画面上に現れる所定のボタンアイコンにタッチすることにより、ポイントデータ（すなわち、測定ポイントを特定するためのデータ）及び測定結果の評価に関連する情報を入力する。入力されたポイントデータ及び測定結果の評価に関連する情報は、ＣＰＵ１３の制御により、通信インターフェース１２を介して環境測定装置１に送信される。
【００５７】
送信されたポイントデータ及び測定結果の評価に関連する情報は、環境測定装置１の通信インターフェース９で受信され、データロガー部３に供給される。データロガー部３のＣＰＵ３ａは、ポイントデータ及び測定結果の評価に関連する情報をメモリ３ｂに記憶させる。
【００５８】
次に、作業者は、携帯機器１１のタッチパネル式表示部１５の測定開始を指示するボタンアイコンにタッチすることにより、測定開始信号を入力する。測定開始信号は、ＣＰＵ１３の制御により、通信インターフェース１２を介して環境測定装置１に送信される。
【００５９】
送信された測定開始信号は、環境測定装置１の通信インターフェース９で受信され、データロガー部３に供給される。データロガー部３のＣＰＵ３ａは、測定開始信号により、センサ部２の各センサ（すなわち粉塵計２ａ、ＣＯ計２ｂ、ＣＯ2計２ｃ、温湿度計２ｄ、風速計２ｅ）を起動し、測定作業を開始させる。それにより、各種の空気環境物理データの多点測定を一度に実行することができる。また、各種の空気環境物理データのうち、選択した１つまたはいくつかのみを測定することもできる。
【００６０】
データロガー部３のＣＰＵ３ａは、センサ部２の各センサからのセンサ出力を演算処理して、測定データを生成し、メモリ３ｂに記憶させる。
【００６１】
次に図６乃至図１５は、タッチパネル式表示部１５の表示画面の例を示す。
【００６２】
まず、図６は、携帯機器１１の電源オン時のメニュー表示画面であり、「環境測定」、「パソコン」「モバイル設定」及び「スケジュール」の各メニューを示すボタンアイコンが表示される。
【００６３】
次に、ボタンアイコン「環境測定」にタッチすると、図７の表示画面に切り替わり、「測定」、「校正」、「設定」及び「戻る」の各ボタンアイコンが表示される。
【００６４】
次に、図７の表示画面において、ボタンアイコン「戻る」にタッチすると図６の表示画面に戻り、ボタンアイコン「測定」にタッチすると、図８の表示画面に切り替わる。図８の表示画面では、「測定方法」、「建物追加」、「ＯＫ」及び「戻る」の各ボタンアイコンと、建物一覧表とが表示される。建物一覧表は、建物名称が、たとえば○○○ビル、△△△ビル、×××ビルのように表示される。
【００６５】
次に、図８の表示画面において、ボタンアイコン「戻る」にタッチすると、図７の表示画面に戻り、ボタンアイコン「測定方法」にタッチすると、図９の表示画面に切り替わる。図９の表示画面では、「ＯＫ」及び「↓」の各ボタンアイコンと、建物名、測定方法、温度、湿度、気流、ＣＯ、ＣＯ2 及び粉塵に関する情報とが表示される。
【００６６】
次に、図９の表示画面において、ボタンアイコン「ＯＫ」にタッチすると図８の表示画面に戻り、ボタンアイコン「↓」にタッチすると、図１０の表示画面に切り替わる。図１０の表示画面では、「ＯＫ」及び「↑」の各ボタンアイコンと、建物名、測定方法、騒音、照度、ＯＰ１、ＯＰ２、及びＯＰ３に関する情報とが表示される。
【００６７】
次に、図１０の表示画面において、ボタンアイコン「↑」にタッチすると図９の表示画面に戻る。そこで、図９及び図１０の表示画面において測定方法の設定が行われる。測定方法の設定作業が終わったならば、図９または図１０の表示画面において、ボタンアイコン「ＯＫ」にタッチすると図８の表示画面に戻る。
【００６８】
再び、図８の表示画面において、ボタンアイコン「ＯＫ」にタッチすると、図１１の表示画面に切り替わり、「地点追加」、「クリア」、「ＯＫ」及び「戻る」の各ボタンアイコンと、測定対象となるビル名「○○○ビル」と、測定地点に関する情報「地点」とが表示される。「地点」は、たとえばビルの階を示す１Ｆ、２Ｆ等の表示が示され、ここでは１Ｆが選択されている。さらに、地点「１Ｆ」において、１回、２回等の測定回数が表示されている。
【００６９】
次に、図１１の表示画面において、ボタンアイコン「戻る」にタッチすると図８の表示画面に戻り、ボタンアイコン「ＯＫ」にタッチすると、図１２の表示画面に切り替わる。図１２の表示画面では、ボタンアイコン「開始」、「↓」及び「戻る」の各ボタンアイコンと、建物名、地点、温度、湿度、気流、ＣＯ、ＣＯ2 、粉塵、測定者１、測定者２、天候、回数、残り時間、在室人数及び喫煙人数に関する情報が表示される。
【００７０】
次に、図１２の表示画面において、ボタンアイコン「戻る」にタッチすると図１１の表示画面に戻り、ボタンアイコン「開始」にタッチすると、図１３の表示画面に切り替わる。（すなわち、ボタンアイコン「開始」のタッチにより、測定開始信号が携帯機器１１から環境測定装置１へ送信され、測定作業が開始される。）
【００７１】
測定作業中、図１３の表示画面では、ボタンアイコン「中止」及び「↓」の各ボタンアイコンと、建物名、地点、温度、湿度、気流、ＣＯ、ＣＯ2 、粉塵、測定者１、測定者２、天候、回数、残り時間、在室人数及び喫煙人数に関する情報が表示される。そして、測定作業中にボタンアイコン「中止」にタッチすると、図１２の表示画面に戻る。（すなわち、ボタンアイコン「開始」にタッチすると、図１３の表示画面に切り替わる。（すなわち、ボタンアイコン「中止」のタッチにより、測定中止信号が携帯機器１１から環境測定装置１へ送信され、測定作業が中断される。）
【００７２】
次に、環境測定装置１の測定作業が終了すると、図１４の表示画面に切り替わり、「ＯＫ」、「再測定」、「↓」及び「キャンセル」の各ボタンアイコンと、建物名、地点、温度、湿度、気流、ＣＯ、ＣＯ2 、粉塵、測定者１、測定者２、天候、回数、残り時間、在室人数及び喫煙人数に関する情報が表示される。
【００７３】
次に、図１４の表示画面において、ボタンアイコン「ＯＫ」にタッチすると図８の表示画面に戻り、ボタンアイコン「↓」にタッチすると、図１０の表示画面に切り替わる。
【００７４】
次に、図１４の表示画面において、ボタンアイコン「再測定」にタッチすると、図１３の表示画面に戻り、ボタンアイコン「キャンセル」にタッチすると、キャンセル画面（図示しない）に切り替わり、ボタンアイコン「ＯＫ」にタッチすると、図１５の表示画面に切り替わる。
【００７５】
図１５の表示画面では、「ＯＫ」及び「キャンセル」の各ボタンアイコンと、「測定完了しました。終了しますか」というメッセージが表示される。そして、ボタンアイコン「キャンセル」にタッチすると、図１１の表示画面に戻り、次の測定地点の選択が行われ、測定作業が繰り返される。一方、ボタンアイコン「ＯＫ」にタッチすると、図６のメニュー表示画面に戻る。
【００７６】
次に、上述の環境測定システムの動作を図１６に示すフローチャートを用いて説明する。
【００７７】
まず、環境測定装置１の電源がオンされ（ステップＳ３１）、初期暖機が行われる（ステップＳ３２）。次に、測定待機状態になり（ステップＳ３３）、待機中に携帯機器１１からの測定開始信号を受信すると、測定処理に入る（ステップＳ３４）。次に、測定時間Ｔ１（たとえば、１分間）をカウントするためのＴ１タイマ（ＣＰＵ１３に内蔵されており、ここでは図示しない）がスタートする（ステップＳ３５）。
【００７８】
次に、ＣＰＵ３ａは、センサ部２の各センサ、すなわち、粉塵計２ａ、ＣＯ計２ｂ、ＣＯ2計２ｃ、温湿度計２ｄ及び風速計２ｅを起動し、粉塵、ＣＯ、ＣＯ2、温度、湿度、気流を測定する（ステップＳ３６）。
【００７９】
次に、ＣＰＵ３ａは、Ｔ１タイマがタイムアップしたか否かを判定する（ステップＳ３７）。その答がノーならば、Ｔ１タイマはタイムカウントを継続する。その答がイエスならば、ＣＰＵ３ａは、センサ部２からのセンサ出力を演算処理して測定データを生成し、生成された測定データをメモり３ｂに保管する（ステップＳ３８）。
【００８０】
次に、ＣＰＵ３ａは、携帯機器１１から測定データの送信要求があるか否かを判定する（ステップＳ３９）。その答がイエスならば、測定データを通信インターフェース４を介して携帯機器１１に送信し（ステップＳ４０）、次に作業を終了する。
【００８１】
一方、携帯機器１１の電源がオンされると（ステップＳ５１）、携帯機器１１の状態確認が行われる（ステップＳ５２）。次に、タッチパネル式表示部１５の表示器１５ａ及びタッチセンサ１５ｂの画面上に現れる所定のボタンアイコンにタッチすることにより、測定情報、すなわち、ポイントデータ（すなわち、測定ポイントを特定するためのデータ）及び測定結果の評価に関連する情報が入力され（ステップＳ５３）、ＣＰＵ１３は、その測定情報を伴う測定開始信号を通信インターフェース１２を介して、環境測定装置１へ送信する（ステップＳ５４）。それにより、環境測定装置１の測定作業が開始される。
【００８２】
測定終了後、ＣＰＵ１３は、測定データを要求する命令を通信インターフェース１２を介して、環境測定装置１へ送信し（ステップＳ５５）、次に、携帯機器１１からの測定データの要求にしたがって環境測定装置１から送信される測定データを受信する（ステップＳ５６）。
【００８３】
次に、ＣＰＵ１３は、受信した測定データがメモリ１４に記憶されたか否かを判定する（ステップＳ５７）。その答がノーならば、何らかの異常状態（たとえば、受信不良）が発生したことになるので、ステップＳ５３に戻り、再度ステップＳ５３，Ｓ５４，Ｓ５５，Ｓ５６の作業が繰り返される。その答がイエスならば、測定を終了する（ステップＳ５８）。
【００８４】
このようにして、環境測定装置１で測定され、生成された測定データは、携帯機器１１で一時的にメモり１４に記憶される。その後、携帯機器１１に記憶された測定データは、携帯機器１１に通信回線（たとえば携帯電話機やＰＨＳ電話機等）を接続して、リアルタイムまたは数回の測定終了後まとめて外部（たとえば、管理センター）へ転送することができる。
【００８５】
以上のように、測定作業者は、携帯機器１１を使用することにより、環境測定装置１の測定ポイントから、炭酸ガスや浮遊粉塵の測定に対して自身の呼気や移動による影響を与えない所定距離離れた場所で、環境測定装置１の測定を開始させることができる。したがって、測定作業による呼気や移動による環境測定装置１の炭酸ガス（二酸化炭素）や浮遊粉塵の測定への影響を回避し、正確な測定が可能となる。
【００８６】
また、測定作業者は、測定開始信号と測定結果の評価に関連する情報（たとえば、天候、在室人数、喫煙人数等）との入力作業を、環境測定装置から離れた位置でタッチパネル式表示部へのタッチにより簡単に行うことができるため、炭酸ガスや浮遊粉塵量への影響を回避し、正確な測定が可能となる。
【００８７】
さらに、測定作業者は、測定開始信号と測定結果の評価に関連する情報との入力作業を、作業者毎の一番楽な姿勢で携帯機器を操作することができるため、より効率的に測定作業を行うことができる。
【００８８】
以上の通り、本発明の実施の形態について説明したが、本発明はこれに限らず、種々の変形、応用が可能である。
【００８９】
たとえば、データロガー部３は、メモリ３ｂに保持された温度相対湿度データ、風速（または気流）データ、一酸化炭素濃度データ、二酸化炭素濃度データまたは粉塵濃度データ等の測定データをさらに演算して、空気環境の評価情報を生成することもできる。
【００９１】
また、上述の実施の形態において、携帯機器を使用する際、タッチパネル式表示部へのタッチによる測定結果の評価に関連する情報の入力は、上述の第２の実施の形態では測定開始前に行っているが、それに代えて測定作業中に行うようにしても良い。この場合、測定結果の評価に関連する情報の入力が測定中に行われるため、より効率良く測定作業をすることができる。
【００９２】
【発明の効果】
請求項１記載の発明によれば、環境測定装置から離れた場所で測定を開始させることができるので、炭酸ガスや浮遊粉塵量への影響を回避し、正確な測定が可能となる。
【００９５】
また、携帯機器を使用することにより環境測定装置から離れた場所で測定を開始させることができるので、炭酸ガスや浮遊粉塵量への影響を回避し、正確な測定が可能となる。また、環境測定装置の測定結果の評価に関連する情報を送信できるので、より効率良く測定作業を行うことができる。
【００９６】
また、請求項２記載の発明によれば、携帯機器を使用して測定開始信号と測定結果の評価に関連する情報との入力作業を、環境測定装置から離れた位置でタッチパネル式表示部へのタッチにより簡単に行うことができるため、炭酸ガスや浮遊粉塵量への影響を回避し、正確な測定が可能となる。また、環境測定装置の測定中にも、測定結果の評価に関連する情報の入力がタッチパネル式表示部へのタッチにより可能なため、より効率良く測定作業をすることができる。
【００９７】
また、請求項３記載の発明によれば、環境測定装置から離れて、携帯しているモバイルコンピュータで環境測定装置から離れた後に測定を開始させると共に、測定結果の評価に必要な情報の入力作業を行うことができるので、炭酸ガスや浮遊粉塵量への影響を回避し、正確な測定が可能となる。
【図面の簡単な説明】
【図１】  本発明による環境測定システムの主旨を理解するのに役立つ参考例の環境測定システムを示す概略構成図である。
【図２】  図１の環境測定システムのブロック図を示す。
【図３】  図２のブロック図の動作を示すフローチャートである。
【図４】  本発明による環境測定システムの実施の形態を示す概略構成図である。
【図５】  図４の環境測定システムのブロック図を示す。
【図６】  図５のブロック図におけるタッチパネル式表示部の表示画面の例を示す。
【図７】  図５のブロック図におけるタッチパネル式表示部の表示画面の例を示す。
【図８】  図５のブロック図におけるタッチパネル式表示部の表示画面の例を示す。
【図９】  図５のブロック図におけるタッチパネル式表示部の表示画面の例を示す。
【図１０】  図５のブロック図におけるタッチパネル式表示部の表示画面の例を示す。
【図１１】  図５のブロック図におけるタッチパネル式表示部の表示画面の例を示す。
【図１２】  図５のブロック図におけるタッチパネル式表示部の表示画面の例を示す。
【図１３】  図５のブロック図におけるタッチパネル式表示部の表示画面の例を示す。
【図１４】  図５のブロック図におけるタッチパネル式表示部の表示画面の例を示す。
【図１５】  図５のブロック図におけるタッチパネル式表示部の表示画面の例を示す。
【図１６】  図５のブロック図の動作を示すフローチャートである。
【符号の説明】
１      環境測定装置
２      センサ部
２ａ    粉塵計（センサ）
２ｂ    ＣＯ計（センサ）
２ｃ    ＣＯ2計（センサ）
２ｄ    温湿度計（センサ）
２ｅ    風速計（センサ）
３      データロガー部
４      通信インターフェース（受信手段）
９      リモコン信号受信部
１０    リモコン送信機
１１    携帯機器（送信手段）
１２    通信インターフェース
１３    ＣＰＵ（制御手段）
１４    メモリ
１５    タッチパネル式表示部
１５ａ  表示器
１５ｂ  タッチセンサ
【図１】
0003958903.tif 000002
【図２】
0003958903.tif 000003
【図３】
0003958903.tif 000004
【図４】
0003958903.tif 000005
【図５】
0003958903.tif 000006
【図６】
0003958903.tif 000007
【図７】
0003958903.tif 000008
【図８】
0003958903.tif 000009
【図９】
0003958903.tif 000010
【図１０】
0003958903.tif 000011
【図１１】
0003958903.tif 000012
【図１２】
0003958903.tif 000013
【図１３】
0003958903.tif 000014
【図１４】
0003958903.tif 000015
【図１５】
0003958903.tif 000016
【図１６】
0003958903.tif 000017